(57)【要約】【課題】ガラス板の本体フレームへの位置決めにおいて、本体フレームの曲げ起こしなどを利用する構成では、位置決め精度を高めるため本体フレームの寸法の遊びを無くすと、ガラス板の組付けができなかったり、組付けに際してガラス板の破損を招く恐れがある。【解決手段】原稿載置用コンタクトガラス板１１と、原稿載置用コンタクトガラス板１１が取り付けられる本体フレーム４０と、を備えるスキャナ３であって、原稿載置用コンタクトガラス板１１副走査方向の位置決め基準部となる原稿基準部材１３が本体フレーム４０に固定されると共に、主走査方向の位置決め基準部となる制止部４０ｂが本体フレーム４０に形成され、本体フレーム４０に取付位置が調整自在で、原稿載置用コンタクトガラス板１１の側端に突き当てられる位置決め部材１４・１５を備える。【選択図】図２
2006352672.tif 000002
【特許請求の範囲】
【請求項１】
フラットベッドスキャナの原稿台となるガラス板と、
前記ガラス板が取り付けられる本体フレームと、
を備える画像読取装置であって、
前記本体フレームに一体もしくは別体で固定され、前記ガラス板の側端位置の基準となる基準部と、
前記本体フレームに取付位置が調整自在で、前記ガラス板の側端に突き当てられる位置決め部材と、
を備える、
ことを特徴とする画像読取装置。
【請求項２】
前記位置決め部材には、前記ガラス板の側端との当接部に傾斜面が形成されると共に、
前記傾斜面は、前記本体フレームと前記位置決め部材とで前記ガラス板の板面を挟み込み、かつ前記ガラス板の側面を押圧する方向に形成される、
ことを特徴とする請求項１に記載の画像読取装置。
【請求項３】
前記ガラス板は矩形であり、
前記位置決め部材は、前記ガラス板の一方の長辺側と一方の短辺側とのそれぞれの側端に、突き当てられている、
ことを特徴とする請求項１または請求項２に記載の画像読取装置。
【発明の詳細な説明】
【技術分野】
【０００１】
本発明は、フラットベッドスキャナの原稿台となるガラス板と、前記ガラス板が取り付けられる本体フレームと、を備える画像読取装置に関する。
【背景技術】
【０００２】
従来より、フラットベッドタイプのスキャナにおいては、そのスキャナの本体フレームに、原稿台となるガラス板が取り付けられている。特許文献１には、フラットベッドタイプのスキャナの一例が開示されている。
原稿台となるガラス板は、本体フレームの曲げ起こしなどを利用して、この本体フレームに位置決めされる構成である。
【特許文献１】特開平８−２８９１００号公報
【発明の開示】
【発明が解決しようとする課題】
【０００３】
ガラス板は素材がガラスであるという性質上、ある程度の公差が必要である。このような寸法にバラツキのあるガラス板に、原稿基準を貼り付けたりする場合には、機能上、正確な位置決めが必要となる。
ところが、ガラス板を本体フレームに対して位置決めするために、公差を無視して寸法丁度の設計で本体フレームを形成すると、ガラス板を本体フレームに組付けることができなかったり、無理やり組付けた際にガラス板の破損を招く恐れがある。
【０００４】
つまり、解決しようとする問題点は、ガラス板の本体フレームへの位置決めにおいて、本体フレームの曲げ起こしなどを利用する構成では、位置決め精度を高めるため本体フレームの寸法の遊びを無くすと、ガラス板の組付けができなかったり、組付けに際してガラス板の破損を招く恐れがある点、である。
【課題を解決するための手段】
【０００５】
本発明の解決しようとする課題は以上の如くであり、次にこの課題を解決するための手段を説明する。
【０００６】
即ち、請求項１においては、
フラットベッドスキャナの原稿台となるガラス板と、
前記ガラス板が取り付けられる本体フレームと、
を備える画像読取装置であって、
前記本体フレームに一体もしくは別体で固定され、前記ガラス板の側端位置の基準となる基準部と、
前記本体フレームに取付位置が調整自在で、前記ガラス板の側端に突き当てられる位置決め部材と、
を備える、ものである。
【０００７】
請求項２においては、
前記位置決め部材には、前記ガラス板の側端との当接部に傾斜面が形成されると共に、
前記傾斜面は、前記本体フレームと前記位置決め部材とで前記ガラス板の板面を挟み込み、かつ前記ガラス板の側面を押圧する方向に形成される、ものである。
【０００８】
請求項３においては、
前記ガラス板は矩形であり、
前記位置決め部材は、前記ガラス板の一方の長辺側と一方の短辺側とのそれぞれの側端に、突き当てられている、ものである。
【発明の効果】
【０００９】
本発明の効果として、以下に示すような効果を奏する。
【００１０】
請求項１においては、
前記本体フレームにおいて、前記ガラス板の組付けに係わる部位に遊びを設ける構成としながら、前記本体フレームに対する前記ガラス板の位置決め精度を高めることが可能である。
【００１１】
請求項２においては、請求項１の効果に加えて、
前記ガラス板が板厚方向でも位置決めされて、前記本体フレームにより一層確実に固定される。
【００１２】
請求項３においては、請求項１または請求項２の効果に加えて、
前記ガラス板の面方向（長辺方向および短辺方向を含む）での位置決め固定が可能となる。
【発明を実施するための最良の形態】
【００１３】
本発明の画像読取装置の二実施の形態を、図面を用いて説明する。
本二実施の形態は、それぞれコピー機としている。両二実施の形態において相違する点は、原稿載置用コンタクトガラス板１１の位置決め固定に係わる構成のみであり、他の点は同一である。
前記の位置決め固定に係わる構成は、詳しくは後述するが、画像読取装置の本体フレームや、この本体フレームを被覆する本体ケースを利用して、構成されている。
【００１４】
図１を用いて、第一の実施形態であるコピー機１の構成を説明する。
コピー機１は、下部のプリンタ２と、上部のスキャナ３と、から構成される。
プリンタ２は、電子写真方式の各種プロセス装置や、画像形成先となる記録紙を供給する給紙カセット装置を、備えている。
スキャナ３は、光学系装置等の原稿の読取りに係わる各種装置が内蔵される本体ケース２０と、この本体ケース２０に対して開閉可能に設けられるプラテンカバー３０と、を備えている。
また、プリンタ２およびスキャナ３の操作手段である操作パネル４が、本体ケース２０に付設されている。
【００１５】
プラテンカバー３０を閉じることで被覆される本体ケース２０の上面には、原稿載置用コンタクトガラス板１１と、搬送原稿用コンタクトガラス板１２（図２に図示）と、が設けられている。
原稿載置用コンタクトガラス板１１は、原稿の載置台となっており、原稿載置用コンタクトガラス板１１上に載置された原稿の画像は、本体ケース２０内に配置される光学系装置を副走査方向に移動させて、読取られる。副走査方向に移動自在の光学系装置と、原稿台となる原稿載置用コンタクトガラス板１１と、を備えるスキャナ３は、フラットベッドタイプスキャナとして機能する。
また、プラテンカバー３０には自動原稿搬送装置３１が設けられており、この自動原稿搬送装置３１によって原稿を搬送することで、原稿の各部が搬送原稿用コンタクトガラス板１２に露出され、搬送原稿用コンタクトガラス板１２の下方に位置する前記光学系装置により、原稿の全面の画像が読取られる。自動原稿搬送装置３１と、搬送原稿用コンタクトガラス板１２と、光学系装置と、を備えるスキャナ３は、シートフィードタイプスキャナとして機能する。
【００１６】
本体ケース２０は、フロントカバー２１、サイドカバー２２・２３、リアカバー２４、の四分割構成である。本体ケース２０の内部には、本体フレーム４０（図２）が内蔵されており、この本体フレーム４０に、フロントカバー２１等の前記各カバーが固定される。
フロントカバー２１は前記操作パネル４のケーシングと一体であり、コピー機１を操作するオペレータの前側（正面側）に位置する。フロントカバー２１に対向する位置にリアカバー２４が配置されており、このリアカバー２４側に、プラテンカバー３０の回動支点部も設けられている。また、サイドカバー２２・２３は、フロントカバー２１の手前側より見て、本体ケース２０の左右に位置する。
以下、コピー機１（スキャナ３）において、前後方向は、フロントカバー２１の配置側が前側で、リアカバー２４の配置側が後側となる方向とする。同じく、左右方向は、サイドカバー２２の配置側が右側で、サイドカバー２３の配置側が左側となる方向とする。
【００１７】
図２に示すように、本体フレーム４０には、原稿載置用コンタクトガラス板１１および搬送原稿用コンタクトガラス板１２が、取り付けられて固定される。
本体フレーム４０の上面には、原稿載置用コンタクトガラス板１１や搬送原稿用コンタクトガラス板１２が取り付けられる部位に、本体フレーム４０の内部を露出させる開口４０ａが形成されている。
開口４０ａの前後幅（主走査方向幅）は、原稿載置用コンタクトガラス板１１や搬送原稿用コンタクトガラス板１２よりも、若干狭く形成されており、開口４０ａの前後端部で本体フレーム４０上に、これらのガラス板１１・１２が支持される構成である。
【００１８】
本体フレーム４０には、前記ガラス板１１・１２の他に、原稿載置用コンタクトガラス板１１上の原稿の載置位置の基準を与える原稿基準部材１３が、前記開口４０ａを覆うようにして取り付けられる。
この原稿基準部材１３は、主走査方向に延出する長手部材であって、開口４０ａの主走査方向幅（前後幅）よりも長手である。この原稿基準部材１３は、開口４０ａの副走査方向の一端側（左端側）に配置され、原稿基準部材１３の両端部が本体フレーム４０に固定される。ここで、開口４０ａは平面視において、原稿基準部材１３により二分割され、副走査方向の開口幅が広い開口部（右側の開口部）に原稿載置用コンタクトガラス板１１が配置され、副走査方向の開口幅が狭い開口部（左側の開口部）に搬送原稿用コンタクトガラス板１２が配置される。
【００１９】
前記原稿基準部材１３の一方（右方）の側面１３ａは、原稿載置用コンタクトガラス板１１上に載置される原稿の位置決め基準であると共に、組付け時の段階においては、原稿載置用コンタクトガラス板１１の位置決め基準部ともなっている。このため、原稿基準部材１３の本体フレーム４０への取付は、前記光学系装置の移動方向（副走査方向）に対して正確に垂直となるように行なわれる必要があり、原稿基準部材１３の本体フレーム４０への取付位置は調整が可能に構成されている。ここで、原稿基準部材１３は長手方向の両端部で、ネジ締結により本体フレーム４０に固定される構成であり、原稿基準部材１３の両端部にはそれぞれネジ挿通用の挿通孔１３ｂ・１３ｃが形成されている。これに対して、本体フレーム４０にも、原稿基準部材１３の挿通孔１３ｂ・１３ｃに対応する位置に、ネジ挿通用の挿通孔が形成されている。挿通孔１３ｂに対応する挿通孔（丸孔４０ｂ）は締結用のネジの径に合わせた円形の孔で、挿通孔１３ｃに対応する挿通孔（長孔４０ｃ）は、締結用のネジの径の幅を有する長孔となっている。この長孔４０ｃは丸孔４０ｂを中心とする円弧上に形成されており、丸孔４０ｂを支点として、本体フレーム４０に対する原稿基準部材１３の取付角度を調整して、副走査方向に対して正確に垂直に固定することが可能である。
【００２０】
矩形状である原稿載置用コンタクトガラス板１１は、この原稿載置用コンタクトガラス板１１の四辺のうち、原稿基準部材１３の配置側を除く三辺に、本体フレーム４０の曲げ起こしによる制止部４０ｂ・４０ｃ・４０ｄや、本体フレーム４０に固定される別体の位置決め部材１４・１５、が突き当てられるように配置されて、本体フレーム４０に固定される。
【００２１】
制止部４０ｂ・４０ｃ・４０ｄは、前記開口４０ａの辺部より本体フレーム４０の上方へ延出した後、開口４０ａの水平方向内側へと突出する、曲げ起こし部であり、いずれも断面形状が逆Ｌ字状である。制止部４０ｂ・４０ｃは、前記開口４０ａを主走査方向（前後方向）で挟んで対向する位置に形成されており、制止部４０ｄは副走査方向（左右方向）で原稿基準部材１３と対向する位置に形成されている。そして、原稿基準部材１３を取り付けた状態では、原稿基準部材１３と制止部４０ｂ・４０ｃ・４０ｄとにより、原稿載置用コンタクトガラス板１１が本体フレーム４０に、水平方向に脱落不能かつ、鉛直方向でも脱落不能に支持される。
【００２２】
原稿載置用コンタクトガラス板１１の水平方向の位置決めは、原稿基準部材１３および制止部４０ｂを位置決め基準部として、前記位置決め部材１４・１５を原稿載置用コンタクトガラス板１１に押し付けることにより行なわれる。
位置決め部材１４は、原稿載置用コンタクトガラス板１１を挟んで原稿基準部材１３に対向する位置、つまり開口４０ａの右側で、本体フレーム４０に取り付けられ、副走査方向（左右方向）で本体フレーム４０に対する固定位置が調整可能である。
同じく、位置決め部材１５は、原稿載置用コンタクトガラス板１１を挟んで制止部４０ｂに対向する位置、つまり開口４０ａの後側で、本体フレーム４０に取り付けられ、主走査方向（前後方向）で本体フレーム４０に対する固定位置が調整可能である。
位置決め部材１４と位置決め部材１５とは、同様の構成であるので、以下、位置決め部材１４の構成について説明する。
【００２３】
図２、図３に示すように、位置決め部材１４は、一枚の長手の板状部材を、その両端部をそれぞれ逆側に垂直に屈曲させて形成されるＺ字形状の部品であり、中央の取付部１４ａと、端側の当接部１４ｂおよび制止部１４ｃと、からなる。取付部１４ａは本体フレーム４０の上面に面接触させる部位であり、当接部１４ｂは原稿載置用コンタクトガラス板１１の側端に突き当てる部位であり、制止部１４ｃは本体フレーム４０の右側面に当接しうる部位（必ずしも当接させなくて良い部位）である。
【００２４】
位置決め部材１４は本体フレーム４０にネジ締結により固定される構成である。
取付部１４ａにはネジ挿通用の挿通孔（長孔１４ｄ）が形成されると共に、本体フレーム４０の上面にもネジ挿通用の挿通孔（丸孔４０ｅ）が形成されている。丸孔４０ｅは締結用のネジの径に合わせた円形の孔であり、長孔１４ｄは、締結用のネジの径の幅を有する副走査方向（左右方向）の長孔となっている。このため、位置決め部材１４の本体フレーム４０に対する固定位置を、副走査方向（左右方向）で調整可能である。
【００２５】
以上構成により、位置決め部材１４を利用して、原稿基準部材１３に対して原稿載置用コンタクトガラス板１１が、副走査方向で正確に位置決めされる。同様に、位置決め部材１５を利用して、制止部４０ｂに対して原稿載置用コンタクトガラス板１１が、主走査方向で正確に位置決めされる。これら二つの位置決めにより、原稿載置用コンタクトガラス板１１が本体フレーム４０に水平方向で正確に位置決めされる。
【００２６】
また、位置決め部材１４を原稿載置用コンタクトガラス板１１に突き当てる位置は、原稿基準部材１３と対向する原稿載置用コンタクトガラス板１１の側端において、原稿基準部材１３の調整の支点となる挿通孔１３ｂおよび丸孔４０ｂに対して、遠い側の端部（図２において原稿載置用コンタクトガラス板１１の右下部）である。この構成により、原稿基準部材１３の固定位置の調整があっても、位置決め部材１４により、原稿載置用コンタクトガラス板１１の位置決め調整が適切に行なわれる。
【００２７】
また、搬送原稿用コンタクトガラス板１２に関しても、本体フレーム４０の曲げ起こしを利用して形成される制止部や、本体フレーム４０と別体の位置決め部材等を利用して、本体フレーム４０に位置決め固定される。
【００２８】
図４を用いて、第二の実施形態を説明する。
第二の実施形態は、原稿載置用コンタクトガラス板１１の位置決め手段を前記位置決め部材１４・１５（第一の実施形態）に代えて、本体フレーム１４０を被覆するサイドカバー１２２およびリアカバーとしたものである。第二の実施形態における、本体フレーム１４０、サイドカバー１２２、リアカバーは、それぞれ、第一の実施形態における、前記本体フレーム４０、前記サイドカバー２２、前記リアカバー２４に相当する。
原稿載置用コンタクトガラス板１１を本体フレーム１４０に脱落不能に支持する構成は、第一の実施の形態の場合と同様である。また、原稿載置用コンタクトガラス板１１は、サイドカバー１２２により副走査方向で位置決め固定され、リアカバーにより主走査方向で位置決め固定される。第二の実施形態においてもサイドカバー１２２およびリアカバーによる位置決め固定に係わる構成は同様であるので、以下では、サイドカバー１２２に係わる位置決め固定に係わる構成を説明する。
【００２９】
図４に示すように、サイドカバー１２２は、前後方向（主走査方向）の断面形状が逆Ｌ字であり、Ｌ字の底辺に相当する上壁１２２ａと、Ｌ字の縦辺に相当する側壁１２２ｂと、から構成される。そして、サイドカバー１２２を本体フレーム１４０に取り付けた状態において、上壁１２２ａにより本体フレーム１４０の上面の一部が被覆され、側壁１２２ｂにより本体フレーム１４０の右側面が被覆される。
【００３０】
上壁１２２ａの内面（下面）には、リブ１２２ｃが突出して形成されており、サイドカバー１２２を本体フレーム１４０に取り付けた状態において、このリブ１２２ｃが本体フレーム１４０の上面に接触する。前記取付状態において、リブ１２２ｃの下面は、本体フレーム１４０の上面と平行である。また、リブ１２２ｃの先端部は傾斜面１２２ｄに形成されている。この傾斜面１２２ｄの傾斜は、上壁１２２ａより突出するにつれて、側壁１２２ｂ側へ接近する向きの傾斜である。
【００３１】
サイドカバー１２２を本体フレーム１４０に取り付けると、サイドカバー１２２の傾斜面１２２ｄが、本体フレーム１４０に支持される原稿載置用コンタクトガラス板１１の側端に当接する。サイドカバー１２２の傾斜面１２２ｄは、位置決め部材１４の当接部１４ｂに相当する部位である。
サイドカバー１２２の取付状態において、傾斜面１２２ｄは、上側で原稿載置用コンタクトガラス板１１側へ突出し、下側で反原稿載置用コンタクトガラス板１１側へ退く傾斜となっている。つまり、前記傾斜面１２２ｄの傾斜は、本体フレーム１４０の上面と、サイドカバー１２２とで、原稿載置用コンタクトガラス板１１の板面を挟み込み、かつ原稿載置用コンタクトガラス板１１の側面を押圧する方向に、形成されている。
【００３２】
サイドカバー１２２は、ネジ締結により本体フレーム１４０に固定される構成であり、上壁１２２ａにネジ挿通用の挿通孔（長孔１２２ｅ）が形成されると共に、本体フレーム４０の上面にもネジ挿通用の挿通孔（丸孔１４０ｆ）が形成されている。長孔１２２ｅは締結用のネジの径に合わせた円形の孔であり、丸孔１４０ｆは、締結用のネジの径の幅を有する副走査方向（左右方向）の長孔となっている。このため、サイドカバー１２２の本体フレーム１４０に対する固定位置を、副走査方向（左右方向）で調整可能である。
【００３３】
以上構成により、サイドカバー１２２を原稿載置用コンタクトガラス板１１側へ押し付けることで、原稿載置用コンタクトガラス板１１は、水平方向（副走査方向）の位置決め基準部である原稿基準部材１３（図４には図示せず）に対して、位置決めされる。加えて、前記押し付けにより、原稿載置用コンタクトガラス板１１は、鉛直方向の位置決め基準部である本体フレーム１４０の上面に対しても、位置決めされる。これらの位置決めを行なった状態でサイドカバー１２２を固定することで、原稿載置用コンタクトガラス板１１がスキャナ３に対して位置決め固定される。
【００３４】
本発明の画像読取装置をまとめる。
第一の発明たる画像読取装置は、フラットベッドスキャナの原稿台となるガラス板と、前記ガラス板が取り付けられる本体フレームと、を備える画像読取装置である。
この画像読取装置は、前記本体フレームに一体もしくは別体で固定され、前記ガラス板の側端位置の基準となる基準部と、前記本体フレームに取付位置が調整自在で、前記ガラス板の側端に突き当てられる位置決め部材と、を備えるものである。
【００３５】
第一の実施の形態では、前記ガラス板である原稿載置用コンタクトガラス板１１に関して、副走査方向の位置決め基準部は本体フレーム４０と別体の原稿基準部材１３であり、主走査方向の位置決め基準部は本体フレーム４０と一体の制止部４０ｂである。原稿基準部材１３に対応して位置決め部材１４が設けられ、制止部４０ｂに対応して位置決め部材１５が設けられている。
第二の実施の形態では、副走査方向の位置決め基準部は本体フレーム１４０と別体の原稿基準部材１３である。原稿基準部材１３に対応して位置決め部材であるサイドカバー１２２が設けられている。
【００３６】
第一および第二の実施の形態において、前記基準部に対する前記位置決め部材の取付位置を調整可能とする構成は、前記位置決め部材と前記本体フレームとをネジ締結により固定可能とすると共に、前記位置決め部材と前記本体フレームとの双方に締結用のネジの挿通孔を形成し、どちらか一方の挿通孔を長孔とするものである。
【００３７】
以上構成により、前記位置決め部材を利用して、前記基準部に合わせてガラス板が正確に位置決めされる。
このため、前記本体フレームにおいて、前記ガラス板の組付けに係わる部位に遊びを設ける構成としながら、前記本体フレームに対する前記ガラス板の位置決め精度を高めることが可能である。
【００３８】
第二の発明たる画像読取装置は、前記第一の発明において、次の構成としたものである。
前記位置決め部材には、前記ガラス板の側端との当接部に傾斜面が形成されると共に、前記傾斜面は、前記本体フレームと前記位置決め部材とで前記ガラス板の板面を挟み込み、かつ前記ガラス板の側面を押圧する方向に形成される、ものである。
【００３９】
第二の実施形態において、原稿載置用コンタクトガラス板の側端との当接部は、サイドカバー１２２のリブ１２２ｃの傾斜面１２２ｄである。この傾斜面１２２ｄは、本体フレーム１４０とサイドカバー１２２とで原稿載置用コンタクトガラス板１１の板面を挟み込み、かつ原稿載置用コンタクトガラス板１１の側面を押圧する方向に形成されている。
なお、第一の実施の形態の位置決め部材１４の当接部１４ｂを、前記傾斜面に形成しても良い。
【００４０】
以上構成により、前記位置決め部材により、前記ガラス板の面方向（水平方向）だけでなく、板厚方向でも位置決めが行なわれる。
このため、前記ガラス板が板厚方向でも位置決めされて、前記本体フレームにより一層確実に固定される。
【００４１】
第三の発明たる画像読取装置は、前記第一または第二の発明において、次の構成としたものである。
前記ガラス板は矩形であり、
前記位置決め部材は、前記ガラス板の一方の長辺側と一方の短辺側とのそれぞれの側端に、突き当てられている、ものである。
【００４２】
第一の実施形態において、位置決め部材１４は、前記ガラス板である原稿載置用コンタクトガラス１１の長辺の側端に突き当てられており、位置決め部材１５は、原稿載置用コンタクトガラス１１の短辺の側端に突き当てられている。
【００４３】
このため、前記ガラス板の面方向（長辺方向および短辺方向を含む）での位置決め固定が可能となる。
【図面の簡単な説明】
【００４４】
【図１】コピー機を示す斜視図である。
【図２】本体フレームと原稿載置用コンタクトガラス板とを示す平面図である。
【図３】位置決め部材による原稿載置用コンタクトガラス板の副走査方向の位置決めの様子を示す正面断面図である。
【図４】サイドカバーによる原稿載置用コンタクトガラス板の副走査方向の位置決めの様子を示す正面断面図である。
【符号の説明】
【００４５】
１    コピー機
１１    原稿載置用コンタクトガラス板
１４    位置決め部材
４０    本体フレーム
１２２    サイドカバー
１２２ｄ    傾斜面
【図１】
2006352672.tif 000003
【図２】
2006352672.tif 000004
【図３】
2006352672.tif 000005
【図４】
2006352672.tif 000006